(57)【要約】【課題】コンテンツデータの付加情報の設定画面を表示する携帯型表示装置、表示方法およびプログラムを提供すること。【解決手段】一のコンテンツデータに設定される任意の付加情報の設定画面であって、付加情報に関する複数の選択項目を含む一のコンテンツデータの付加情報の設定画面を生成する設定画面生成部と、一のコンテンツデータの付加情報の設定画面に含まれる複数の選択項目の少なくともいずれかを選択する選択操作を検出する選択操作検出部２３６と、一のコンテンツデータの付加情報を、選択操作により選択された選択項目に設定する付加情報設定部と、付加情報の設定画面の切替操作を検出する切替操作検出部２４４とを備え、設定画面生成部は、切替操作検出部が検出した切替操作に基づいて、一のコンテンツデータの付加情報の設定画面を、他のコンテンツデータの付加情報の設定画面に切替えることを特徴とする。【選択図】図４
2008199364.tif 000002
【特許請求の範囲】
【請求項１】
一のコンテンツデータに設定される任意の付加情報の設定画面であって、前記付加情報に関する複数の選択項目を含む前記一のコンテンツデータの付加情報の設定画面を生成する設定画面生成部と；
前記一のコンテンツデータの付加情報の設定画面に含まれる前記複数の選択項目の少なくともいずれかを選択する選択操作を検出する選択操作検出部と；
前記一のコンテンツデータの付加情報を、前記選択操作により選択された選択項目に設定する付加情報設定部と；
前記付加情報の設定画面の切替操作を検出する切替操作検出部と；
を備え、
前記設定画面生成部は、前記切替操作検出部が検出した切替操作に基づいて、前記一のコンテンツデータの付加情報の設定画面を、他のコンテンツデータの付加情報の設定画面に切替えることを特徴とする、携帯型表示装置。
【請求項２】
前記コンテンツデータを再生する再生部を備え、
前記再生部は、前記設定画面生成部が生成する付加情報の設定画面に対応するコンテンツデータを再生することを特徴とする、請求項１に記載の携帯型表示装置。
【請求項３】
前記設定画面生成部は、前記再生部が再生するコンテンツデータが変更されると、付加情報の設定画面を、再生の変更後のコンテンツデータの付加情報の設定画面に切替えることを特徴とする、請求項２に記載の携帯型表示装置。
【請求項４】
前記コンテンツデータの付加情報は、前記付加情報に対応するコンテンツデータの属性に応じた区分に階層的に記憶されており、
前記設定画面生成部は、一のコンテンツデータの付加情報が属する区分に含まれる付加情報の範囲内で前記一のコンテンツデータの付加情報の設定画面を切替えることを特徴とする、請求項１に記載の携帯型表示装置。
【請求項５】
前記設定画面生成部は、前記選択項目を一方向に配置したコンテンツデータの付加情報の設定画面を生成することを特徴とする、請求項１に記載の携帯型表示装置。
【請求項６】
前記選択操作は、カーソルをいずれかの前記選択項目に合わせる操作であり、
前記付加情報設定部は、前記カーソルが一の選択項目に合わせられたまま所定期間が経過すると、前記一のコンテンツデータの付加情報を前記一の選択項目に設定することを特徴とする、請求項１に記載の携帯型表示装置。
【請求項７】
一のコンテンツデータに設定される任意の付加情報の設定画面であって、前記付加情報に関する複数の選択項目を含む前記一のコンテンツデータの付加情報の設定画面を生成するステップと；
前記付加情報の設定画面の切替操作を検出するステップと；
前記切替操作に基づいて、前記一のコンテンツデータの付加情報の設定画面を、他のコンテンツデータの付加情報の設定画面に切替えるステップと；
を含むことを特徴とする、表示方法。
【請求項８】
コンピュータを、
一のコンテンツデータに設定される任意の付加情報の設定画面であって、前記付加情報に関する複数の選択項目を含む前記一のコンテンツデータの付加情報の設定画面を生成する設定画面生成部と；
前記一のコンテンツデータの付加情報の設定画面に含まれる前記複数の選択項目の少なくともいずれかを選択する選択操作を検出する選択操作検出部と；
前記一のコンテンツデータの付加情報を、前記選択操作により選択された選択項目に設定する付加情報設定部と；
前記付加情報の設定画面の切替操作を検出する切替操作検出部と；
を備え、
前記設定画面生成部は、前記切替操作検出部が検出した切替操作に基づいて、前記一のコンテンツデータの付加情報の設定画面を、他のコンテンツデータの付加情報の設定画面に切替えることを特徴とする携帯型表示装置として機能させるための、プログラム。
【請求項９】
前記コンテンツデータを再生する再生部を備え、
前記再生部は、前記設定画面生成部が生成する付加情報の設定画面に対応するコンテンツデータを再生することを特徴とする、請求項８に記載のプログラム。
【請求項１０】
前記設定画面生成部は、前記再生部が再生するコンテンツデータが変更されると、付加情報の設定画面を、再生の変更後のコンテンツデータの付加情報の設定画面に切替えることを特徴とする、請求項９に記載のプログラム。
【請求項１１】
前記コンテンツデータの付加情報は、前記付加情報に対応するコンテンツデータの属性に応じた区分に階層的に記憶されており、
前記設定画面生成部は、一のコンテンツデータの付加情報が属する区分に含まれる付加情報の範囲内で前記一のコンテンツデータの付加情報の設定画面を切替えることを特徴とする、請求項８に記載のプログラム。
【発明の詳細な説明】
【技術分野】
【０００１】
本発明は、コンテンツデータの付加情報の設定画面を表示する携帯型表示装置、表示方法およびプログラムに関する。
【背景技術】
【０００２】
近日、映像データや音声データを含むコンテンツデータを再生可能な携帯機器が普及している。かかる携帯機器は、コンテンツデータと、コンテンツデータに関する付加情報とを記憶している。ここで、付加情報としては、コンテンツデータのタイトル、コンテンツデータの取得日時、コンテンツデータのジャンル、コンテンツデータに対する評価、コンテンツデータの属するプレイリストなどがあげられる。
【０００３】
上記の付加情報のうちで、コンテンツデータのタイトル、コンテンツデータの取得日時、コンテンツデータのジャンルなどの付加情報は、あらかじめコンテンツデータと対応付けて設定されている場合が多い。一方、コンテンツデータに対する評価、またはコンテンツデータの属するプレイリストなどの付加情報は、通常、各ユーザが好みや目的に応じて設定することができる。
【０００４】
例えば、特許文献１には、コンテンツデータの再生画面が表示されているときに、ユーザが所定の操作を行なうことによりプレイリストの設定画面を表示させ、該コンテンツデータのプレイリストへの登録、あるいは該コンテンツデータのプレイリストからの削除を行なう携帯機器における設定方法が開示されている。
【０００５】
【特許文献１】特開２００６−１８８７９号公報
【発明の開示】
【発明が解決しようとする課題】
【０００６】
しかし、携帯機器における従来の設定方法では、異なる複数のコンテンツデータの付加情報の設定画面を連続的に表示することができなかった。例えば、一のコンテンツデータの付加情報の設定画面から他のコンテンツデータの付加情報の設定画面を表示するには、一のコンテンツデータの付加情報の設定画面、一のコンテンツデータの再生画面、他のコンテンツデータの再生画面、他のコンテンツデータの付加情報の設定画面、という過程を経る必要があった。したがって、このような従来の設定方法は、複数のコンテンツデータの付加情報の設定を所望するユーザにとって煩雑であるという問題があった。
【０００７】
そこで、本発明は、上記問題に鑑みてなされたものであり、本発明の目的とするところは、ユーザが容易に複数のコンテンツデータの付加情報の設定を行うことが可能な、新規かつ改良された携帯型表示装置、表示方法およびプログラムを提供することにある。
【課題を解決するための手段】
【０００８】
上記課題を解決するために、本発明のある観点によれば、一のコンテンツデータに設定される任意の付加情報の設定画面であって、付加情報に関する複数の選択項目を含む一のコンテンツデータの付加情報の設定画面を生成する設定画面生成部と、一のコンテンツデータの付加情報の設定画面に含まれる複数の選択項目の少なくともいずれかを選択する選択操作を検出する選択操作検出部と、一のコンテンツデータの付加情報を、選択操作により選択された選択項目に設定する付加情報設定部と、付加情報の設定画面の切替操作を検出する切替操作検出部と、を備え、設定画面生成部は、切替操作検出部が検出した切替操作に基づいて、一のコンテンツデータの付加情報の設定画面を、他のコンテンツデータの付加情報の設定画面に切替えることを特徴とする、携帯型表示装置が提供される。
【０００９】
かかる構成においては、設定画面生成部は、生成するコンテンツデータの付加情報の設定画面を、切替操作検出部により切替操作が検出されると他のコンテンツデータの付加情報の設定画面に切替える。このため、ユーザは、単に切替操作を行なうのみで異なるコンテンツデータの付加情報の設定画面を連続的に表示させることができる。したがって、当該携帯型表示装置においては、ユーザが複数のコンテンツデータの付加情報の設定作業を簡易に行うことが可能である。
【００１０】
また、当該携帯型表示装置は、コンテンツデータを再生する再生部を備え、再生部は、設定画面生成部が生成する付加情報の設定画面に対応するコンテンツデータを再生してもよい。例えば、設定画面生成部が一のコンテンツデータの付加情報の設定画面を生成している間は再生部は該一のコンテンツデータを再生し、設定画面生成部が切替操作に基づいて一のコンテンツデータの付加情報の設定画面を他のコンテンツデータの付加情報の設定画面に切替えると、再生部は再生するコンテンツデータを該他のコンテンツデータに切替える。すなわち、切替操作は、設定画面生成部が生成するコンテンツデータの付加情報の設定画面の切替えと、再生部が再生するコンテンツデータの切替えと、を連動して実行させることができる。
【００１１】
かかる構成においては、ユーザが所望するコンテンツデータの付加情報を設定するために切替操作を行い、設定画面生成部に所望するコンテンツデータの付加情報の設定画面を生成させると、再生部が該所望するコンテンツデータを再生する。したがって、ユーザは、再生されるコンテンツデータを視聴して該コンテンツデータの内容を確認しながら、効率的に該コンテンツデータの付加情報の設定作業を行なうことができる。
【００１２】
また、設定画面生成部は、再生部が再生するコンテンツデータが変更されると、付加情報の設定画面を、変更後のコンテンツデータの付加情報の設定画面に切替てもよい。例えば、再生部が一のコンテンツデータを再生している間は設定画面生成部が該一のコンテンツデータの付加情報の設定画面を生成し、再生部が一のコンテンツデータの再生を終了し次のコンテンツデータの再生を開始すると、設定画面生成部は一のコンテンツデータの付加情報の設定画面を次のコンテンツデータの付加情報の設定画面に切替える。すなわち、再生部が再生するコンテンツデータの切替と、設定画面生成部が生成するコンテンツデータの付加情報の設定画面の切替と、が連動して行なわれる。かかる構成においては、ユーザは、再生されるコンテンツデータを視聴して該コンテンツデータの内容を確認しながら、効率的に該コンテンツデータの付加情報の設定作業を行なうことができる。
【００１３】
また、コンテンツデータの付加情報は、付加情報に対応するコンテンツデータの属性に応じた区分に階層的に記憶されており、設定画面生成部は、一のコンテンツデータの付加情報が属する区分に含まれる付加情報の範囲内で一のコンテンツデータの付加情報の設定画面を切替えてもよい。
【００１４】
また、設定画面生成部は、選択項目を一方向に配置したコンテンツデータの付加情報の設定画面を生成してもよい。例えば、設定画面生成部は、設定画面において選択項目を上下、または左右などに配置してもよい。かかる構成においては、当該携帯型表示装置に設けられた各操作部のうちで、ユーザが選択操作を行なうために割当てを要する操作部の割合を抑制できる。したがって、各操作部への機能の割当てをより高い自由度で行なうことが可能となる。
【００１５】
また、選択操作は、カーソルをいずれかの選択項目に合わせる操作であり、付加情報設定部は、カーソルが一の選択項目に合わせられたまま所定期間が経過すると、一のコンテンツデータの付加情報を一の選択項目に設定してもよい。かかる構成においては、ユーザが所望する選択項目にカーソルを合わせた後の決定操作が不要となるため、ユーザの利便性が向上される。さらに、ユーザが決定操作を行なうための決定操作部が不要となるため、各操作部への機能の割当てをより高い自由度で行なうことができる。
【００１６】
また、上記課題を解決するために、本発明の別の観点によれば、一のコンテンツデータに設定される任意の付加情報の設定画面であって、付加情報に関する複数の選択項目を含む一のコンテンツデータの付加情報の設定画面を生成するステップと、付加情報の設定画面の切替操作を検出するステップと、切替操作に基づいて、一のコンテンツデータの付加情報の設定画面を、他のコンテンツデータの付加情報の設定画面に切替えるステップとを含むことを特徴とする、表示方法が提供される。
【００１７】
かかる構成においては、ユーザは、単に切替操作を行なうのみで異なるコンテンツデータの付加情報の設定画面を連続的に表示させることができる。したがって、当該表示方法によれば、ユーザが複数のコンテンツデータに対する付加情報の設定を簡易に行うことが可能である。
【００１８】
また、上記課題を解決するために、本発明の別の観点によれば、コンピュータを、一のコンテンツデータに設定される任意の付加情報の設定画面であって、付加情報に関する複数の選択項目を含む一のコンテンツデータの付加情報の設定画面を生成する設定画面生成部と、一のコンテンツデータの付加情報の設定画面に含まれる複数の選択項目の少なくともいずれかを選択する選択操作を検出する選択操作検出部と、一のコンテンツデータの付加情報を、選択操作により選択された選択項目に設定する付加情報設定部と、付加情報の設定画面の切替操作を検出する切替操作検出部とを備え、設定画面生成部は、切替操作検出部が検出した切替操作に基づいて、一のコンテンツデータの付加情報の設定画面を、他のコンテンツデータの付加情報の設定画面に切替えることを特徴とする携帯型表示装置として機能させるための、プログラムが提供される。
【００１９】
かかるプログラムは、例えばＣＰＵ、ＲＯＭまたはＲＡＭなどを含むコンピュータのハードウェア資源に、上記のような設定画面生成部、選択操作検出部、付加情報設定部および切替操作検出部の機能を実行させることができる。すなわち、当該プログラムを用いるコンピュータを、上述の携帯型表示装置として機能させることが可能である。
【００２０】
コンテンツデータを再生する再生部を備え、再生部は、設定画面生成部が生成する付加情報の設定画面に対応するコンテンツデータを再生してもよい。
【００２１】
設定画面生成部は、再生部が再生するコンテンツデータが変更されると、付加情報の設定画面を、再生の変更後のコンテンツデータの付加情報の設定画面に切替えてもよい。
【００２２】
コンテンツデータの付加情報は、付加情報に対応するコンテンツデータの属性に応じた区分に階層的に記憶されており、設定画面生成部は、一のコンテンツデータの付加情報が属する区分に含まれる付加情報の範囲内で一のコンテンツデータの付加情報の設定画面を切替えてもよい。  
【発明の効果】
【００２３】
以上説明したように本発明にかかる携帯型表示装置、表示方法およびプログラムによれば、ユーザが容易に複数のコンテンツデータの付加情報の設定を行うことができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
また、本実施形態の説明においては、携帯型表示装置としての携帯機器２０を含むコンテンツ通信システム１について図１および図２を参照して説明した後、図３〜図１３を参照して本実施形態にかかる携帯機器２０の機能および動作を説明する。
【００２６】
図１は、本実施形態にかかるコンテンツ通信システム１の構成を示した説明図である。コンテンツ通信システム１は、コンテンツ配信サーバ１０と、通信網１２と、携帯機器２０と、ＰＣ３０と、を含み、携帯機器２０は携帯機器２０が記憶するコンテンツデータのメタデータ（付加情報）の設定画面を生成することができる。
【００２７】
コンテンツ配信サーバ１０は、通信網１２を介して携帯機器２０やＰＣ３０にコンテンツデータを配信、送信あるいは放送する。例えば、コンテンツ配信サーバ１０は、デジタル形式のコンテンツデータを通信網１２としての無線電波を用いて送信するワンセグ放送を行なったり、デジタルラジオの放送を行なうことができる。なお、通信網１２は、銅線または光ファイバーなどの有線ケーブルや、無線電波などのデータの伝送路、またはルータや通信を制御する基地局などのデータの中継機などを含んでもよい。
【００２８】
また、コンテンツデータは、音楽、講演およびラジオ番組などの音楽データや、映画、テレビジョン番組、ビデオプログラム、写真、文書、絵画および図表などの映像および／または音声データや、ゲームおよびソフトフェアなどの任意のデータを含む概念である。なお、
【００２９】
ＰＣ３０は、通信網１２を介してコンテンツ配信サーバ１０から放送されるコンテンツデータを内蔵する記憶媒体に記録することができる。また、ＰＣ３０は、ＣＤ−Ｒ（Ｃｏｍｐａｃｔ  Ｄｉｓｋ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクに記憶されたコンテンツデータを、内蔵する記憶媒体に記録することもできる。
【００３０】
また、ＰＣ３０は、内蔵する記憶媒体に記録されているコンテンツデータを携帯機器２０に送信したり、携帯機器２０が記憶するコンテンツデータおよびコンテンツデータの検索用データベースのデータ構造などの管理を行なうことができる。ここで、ＰＣ３０は、コンテンツデータを携帯機器２０にダウンロード方式で送信することも、ストリーミング方式で送信することもできる。ストリーミング方式は、携帯機器２０におけるコンテンツデータの再生速度に同期しながらコンテンツデータを時系列に送信する方式である。一方、ダウンロード方式は、コンテンツデータの全体を携帯機器２０に送信した後に携帯機器２０におけるコンテンツデータの再生を可能とする送信方式である。
【００３１】
携帯機器２０は、コンテンツ配信サーバ１０から送信されたコンテンツデータや、ＰＣ３０から送信されたコンテンツデータを記憶媒体に記録することができる。また、携帯機器２０は、記憶媒体に記録されたコンテンツデータを検索するために、１または２以上のコンテンツデータに対応するメタデータが階層化された検索用データベースを記憶する。また、携帯機器２０は、検索用データベースを用いて検索されたメタデータに対応するコンテンツデータを再生する機能も有する。図２を参照してこのような携帯機器２０の外観構成の一例を説明する。
【００３２】
図２は、本実施形態にかかる携帯機器２０の外観構成例を示した説明図である。詳細には、図２（ａ）は本実施形態にかかる携帯機器２０の正面図であり、図２（ｂ）は本実施形態にかかる携帯機器２０の指示操作部２３を拡大して示した説明図である。図２（ａ）に示した例では、携帯機器２０は、表示部２１、音声出力部２２、指示操作部２３、ホールド操作部２６および音量操作部２８を備える。
【００３３】
表示部２１は、映像を表示する機能を有し、例えば、液晶ディスプレイ（ＬＣＤ）、有機ＥＬ（Ｅｌｅｃｔｒｏ  Ｌｕｍｉｎｅｓｃｅｎｃｅ）ディスプレイ、またはプラズマディスプレイであってもよい。表示部２１には、コンテンツデータに含まれる映像データに基づく映像や、コンテンツデータの再生状況を示す映像などが表示される。
【００３４】
音声出力部２２は、コンテンツデータに含まれる音声データに基づく音声を出力する機能を有する。なお、図２（ａ）においては音声出力部２２の一例としてイヤホンを示したにすぎず、音声出力部２２は、スピーカであっても、ヘッドホンであってもよい。
【００３５】
指示操作部２３は、携帯機器２０に対して所定の処理の実行を指示したり、携帯機器２０へのデータ入力を指示する指示操作を検出する。所定の処理としては、例えば、コンテンツデータの再生、コンテンツデータの一時停止、コンテンツデータの早送り、コンテンツデータの巻き戻しなどがあげられる。また、指示操作部２３は、図２（ｂ）に示したように、上ボタン２３Ａ、下ボタン２３Ｂ、左ボタン２３Ｃおよび右ボタン２３Ｄなどの十字キーと、決定ボタン２３Ｅ、リターンボタン２３Ｆ、およびメニューボタン２３Ｇを含む。
【００３６】
十字キーを構成する各ボタン２３Ａ〜２３Ｄは、表示部２１に表示される各種選択項目にカーソルを合わせる際に用いられる。例えば、上ボタン２３Ａが押圧されるとカーソルが上に移動し、下ボタン２３Ｂが押圧されるとカーソルが下に移動し、左ボタン２３Ｃが押圧されるとカーソルが左に移動し、右ボタン２３Ｄが押圧されるとカーソルが右に移動するようにしてもよい。ここで、選択項目としては、コンテンツの名称、アルバムの名称、編集するコンテンツのメタデータの種類などがあげられる。
【００３７】
また、決定ボタン２３Ｅは、カーソルがあてられている選択項目を実行する際に用いられる。また、リターンボタン２３Ｆは、表示部２１に表示される表示画面を以前の状態に戻す際に用いられる。また、メニューボタン２３Ｇは、コンテンツデータのメタデータの設定や、表示部２１に表示する画面形式の設定などの各種設定のいずれを行うかを選択するためのメニュー画面を表示する際に用いられる。
【００３８】
なお、十字キーや決定ボタン２３Ｅなどは、指示操作部２３の具体的構成の一例として示したにすぎず、指示操作部２３は、例えば、タッチパネル、ボタン、スイッチ、レバー、ダイヤルや、リモートコントローラが発生する赤外線信号用の受光部などで構成することも可能である。
【００３９】
設定操作部としてのホールド操作部２６は、指示操作部２３に対する所定の処理の実行などを指示する指示操作を受け付けるか否かの設定を切替えるためのユーザによる操作を検出する。ユーザがホールド操作部２６をＯＮにするホールドオン操作（設定操作）を行うと、指示操作部２３に対する所定の処理の実行などを指示する指示操作を受け付けないホールドオン状態となり、ユーザがホールド操作部２６をＯＦＦするホールドオフ操作（解除操作）を行なうと、指示操作部２３に対する所定の処理の実行などを指示する指示操作を受け付けるホールドオフ状態となる。例えば、ホールド操作部２６がＯＦＦである場合には、携帯機器２０はコンテンツの再生を指示する再生指示操作に基づいてコンテンツを再生するが、ホールド操作部２６がＯＮである場合には、携帯機器２０はコンテンツの再生を指示する再生指示操作が検出された場合であってもコンテンツの再生を行なわない。
【００４０】
音量操作部２８は、ユーザによる音量調整操作を検出し、イヤホン２２から再生される音声の音量を調整する機能を有する。例えば、音量操作部２８の一側が押圧されると音量が減少し、音量操作部２８の他側が押圧されると音量が増加するようにしてもよい。
【００４１】
なお、図１および図２においては、携帯用映像処理装置の一例として携帯機器２０を示しているが、携帯用映像処理装置は、音楽再生機能付きの携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔ）携帯用ゲーム機器、家電機器などの情報処理装置であってもよい。
【００４２】
以上説明した本実施形態にかかる携帯機器２０は、コンテンツ配信サーバ１０やＰＣ３０などからコンテンツデータを取得し、取得したコンテンツデータのメタデータの設定画面を生成することができる。携帯機器２０のユーザは、かかる設定画面上でコンテンツデータの評価やプレイリスト登録などのメタデータの設定を行うことができる。
【００４３】
しかし、従来の設定画面の表示方法では、異なる複数のコンテンツデータのメタデータの設定画面を連続的に表示することができなかった。このような従来の設定画面の表示方法を、図１４を参照して説明する。
【００４４】
図１４は、従来の設定画面の表示方法の流れを示した説明図である。従来の設定画面の表示方法においては、まず、図１４（ａ）に示した「ワールドピリオド」の再生画面から、ユーザ操作に基づいて図１４（ｂ）に示したメニュー画面を表示部７１に表示する。なお、図１４中の星印はコンテンツデータの評価を示している。そして、従来の設定画面の表示方法においては、図１４（ｂ）に示したメニュー画面の「評価」がカーソル４０をあてられ選択されると、図１４（ｃ）に示した「ワールドピリオド」の評価画面（「評価」の設定画面）を表示する。
【００４５】
次いで、従来の設定画面の表示方法においては、図１４（ｃ）に示した「自動」にカーソル４０があてられている「ワールドピリオド」の評価画面から、ユーザ操作に基づいて図１４（ｄ）に示した手動設定用の欄にカーソル４０があてられている「ワールドピリオド」の評価画面を表示する。ユーザは、図１４（ｄ）に示した「ワールドピリオド」の評価画面において星印を増減させる操作を行い、「ワールドピリオド」の評価を設定することができる。例えば、図１４（ｄ）に示した「ワールドピリオド」の評価画面において星印を二つ増やす操作を行なうと、図１４（ｅ）に示した星印が５つの「ワールドピリオド」の評価画面が表示される。
【００４６】
ここで、ユーザが「ワールドピリオド」の次のコンテンツデータである「過去」の評価の設定を所望した場合、ユーザは図１４（ｉ）に示す「過去」の評価画面を表示部７１に表示させる必要がある。しかし、従来の設定画面の表示方法において、図１４（ｅ）に示した「ワールドピリオド」の評価画面から上記「過去」の評価画面を表示部７１に表示するためには、図１４（ｆ）に示した「ワールドピリオド」の再生画面を表示し、図１４（ｇ）に示した「過去」の再生画面を表示し、図１４（ｈ）に示したメニュー画面を表示し、ユーザが図１４（ｈ）に示したメニュー画面において「評価」を選択する必要があった。
【００４７】
このように、従来の設定画面の表示方法では、異なる複数のコンテンツデータの評価画面を連続的に表示することができなかったため、複数のコンテンツデータの付加情報の設定を所望するユーザにとって煩雑であるという問題があった。
【００４８】
そこで、上記のような問題を一着眼点とし、ユーザが容易に複数のコンテンツデータの評価の設定を行うことが可能な携帯機器２０が創作されるに至った。以下、図３〜１３を参照して本実施形態にかかる携帯機器２０の構成および動作を詳細に説明する。
【００４９】
図３は、本実施形態にかかる携帯機器２０のハードウェア構成を示した説明図である。携帯機器２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００５０】
ＣＰＵ２０１は、演算処理装置および制御装置として機能し、各種プログラムに従って携帯機器２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００５１】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００５２】
入力装置２０８は、例えば、マウス、キーボード、タッチパネル、ボタン、マイク、スイッチおよびレバーなどユーザが情報を入力するための指示操作部２３と、ユーザによる入力に基づいて入力信号を生成し、ＣＰＵ２０１に出力する入力制御回路などから構成されている。携帯機器２０のユーザは、該入力装置２０８を操作することにより、携帯機器２０に対して各種のデータを入力したり処理動作を指示したりすることができる。
【００５３】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置およびランプなどの表示装置と、スピーカおよびヘッドホンなどの音声出力装置で構成される。出力装置２１０は、例えば、再生されたコンテンツを出力する。具体的には、表示部２１に対応する表示装置は再生された映像データ等の各種情報をテキストまたはイメージで表示する。一方、音声出力部２２に対応する音声出力装置は、再生された音声データ等を音声に変換して出力する。
【００５４】
ストレージ装置２１１は、本実施形態にかかる携帯機器２０の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、コンテンツデータや、コンテンツデータを検索するための検索用エータベースなどが記憶される。なお、当該ストレージ装置２１１または記憶媒体は、携帯機器２０と着脱可能であってもよい。
【００５５】
ドライブ２１２は、記憶媒体用リーダライタであり、携帯機器２０に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３に出力する。
【００５６】
通信装置２１５は、例えば、通信網１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であっても、デジタル無線放送の受信装置であっても、アンテナやテレビチューナを含んでもよい。この通信装置２１５は、コンテンツ配信サーバ１０やＰＣ３０との間で、通信網１２を介してコンテンツデータを送受信することができる。
【００５７】
以上、図３を参照して本実施形態にかかる携帯機器２０のハードウェア構成を説明した。続いて、図４を参照して携帯機器２０の機能を説明する。
【００５８】
図４は、本実施形態にかかる携帯機器２０の構成を示した機能ブロック図である。携帯機器２０は、通信部２１６と、記録部２１８と、記憶部２２０と、データ構造管理部２２２と、表示画面生成部２２４と、表示部２１と、操作部２３２と、選択操作検出部２３６と、設定部２４０と、切替操作検出部２４４と、表示切替部２４８と、再生部２５０と、再生制御部２６０と、を備える。
【００５９】
通信部２１６は、コンテンツ配信サーバ１０やＰＣ３０などの外部装置とのインターフェースであり、送信部または受信部としての機能を有する。例えば、通信部２１６は、コンテンツ配信サーバ１０から無線電波を用いて連続的（リアルタイム）に放送されたテレビ番組や映画などのコンテンツデータを受信することができる。コンテンツ配信サーバ１０から送信されるコンテンツデータは、デジタル形式であっても、アナログ形式であってもよい。
【００６０】
なお、通信部２１６は、図３に示した通信装置２１５を機能させるためのソフトウェアであっても、該ソフトウェアに基づいて動作する通信装置２１５であってもよい。また、図４においては、通信部２１６とコンテンツ配信サーバ１０とが直接通信を行う場合を示しているが、通信部２１６とコンテンツ配信サーバ１０とは図１に示したように通信網１２を介して通信を行ってもよい。
【００６１】
記録部２１８は、通信部２１６が受信したコンテンツデータを記憶部２２０に記録する。また、記録部２１８は、光ディスクやフラッシュメモリに記録されたコンテンツデータを取得して記憶部２２０に記録することもできる。
【００６２】
記憶部２２０は、コンテンツデータを記憶する記憶媒体として機能する。また、記憶部２２０は、コンテンツデータの属性を示すメタデータや、該メタデータが対応するコンテンツデータの属性に応じて階層化された検索用データベースを記憶する。このような記憶部２２０が記憶するデータ内容を、図５〜図８を参照して説明する。
【００６３】
図５は、記憶部２２０が記憶するコンテンツファイルの一例を示した説明図である。図５に示した例では、記憶部２２０は、メタデータ３１２、データヘッダ３１４およびコンテンツデータ（データ）３１６を含むコンテンツファイル１、およびコンテンツファイル２を記憶している。
【００６４】
メタデータ３１２は、同一のコンテンツファイル１に含まれるコンテンツデータ３１６の属性を示す情報である。メタデータ３１２は、例えば、コンテンツデータ３１６のタイトル、コンテンツデータ３１６が収録されているアルバム名、コンテンツデータ３１６に対する評価、コンテンツデータ３１６の画像情報であるジャケット写真、コンテンツファイル１の所在を示すコンテンツファイルＵＲＩ（Ｕｎｉｆｏｒｍ  Ｒｅｓｏｕｒｃｅ  Ｉｄｅｎｔｉｆｉｅｒ）を含む。
【００６５】
データヘッダ３１４は、同一のコンテンツファイル１に含まれるコンテンツデータ３１６のデータ形式に関する情報である。データヘッダ３１４は、例えば、コンテンツデータ３１６の圧縮方式や、ビットレート情報などを含む。コンテンツデータ３１６は、映像データや音声データなどの再生されるデータそのものである。
【００６６】
コンテンツファイル２は、コンテンツファイル１と同様に、メタデータ３２２、データヘッダ３２４およびコンテンツデータ３２６を含んでもよい。
【００６７】
記憶部２２０は、上述のようなコンテンツファイルとは別に、図６に示すコンテンツ情報ファイルを記憶している場合がある。
【００６８】
図６は、記憶部２２０が記憶するコンテンツ情報ファイルの一例を示した説明図である。図６に示した例では、記憶部２２０はコンテンツ情報ファイル１、コンテンツ情報ファイル２、コンテンツ情報ファイル３を記憶している。コンテンツ情報ファイル１は、例えば、コンテンツデータ３１６の圧縮方式、コンテンツデータ３１６のタイトル、コンテンツデータ３１６が収録されているアルバム名、コンテンツデータ３１６に対する評価、コンテンツデータ３１６の画像情報であるジャケット写真、コンテンツファイル１の所在を示すコンテンツファイルＵＲＩを含む。
【００６９】
すなわち、コンテンツ情報ファイル１は、コンテンツファイル１のうちのメタデータ３１２およびデータヘッダ３１４に記載された情報を含み、コンテンツデータ３１６は含まない情報である。コンテンツ情報ファイル２およびコンテンツ情報ファイル３も、コンテンツ情報ファイル１と同様にコンテンツデータの圧縮方式、タイトル、アルバム名、コンテンツファイルＵＲＩなどを含む。
【００７０】
このようなコンテンツ情報ファイルは、コンテンツデータを含まないため、記憶部２２０に記憶されているコンテンツデータに対応するメタデータまたはデータヘッダの内容を検索する際に用いられる場合がある。
【００７１】
図７は、記憶部２２０が記憶するコンテンツデータの検索用データベースの一例を示した説明図である。検索用データベースは、対応する１または２以上のコンテンツデータの属性に応じて階層化されたメタデータを含む。すなわち、検索用データベースにおけるメタデータは、該メタデータに対応するコンテンツデータの属性に応じて、木構造におけるいずれかのノードに配される。
【００７２】
図７に示した検索用データベースにおいては、第１階層に「ルート」４０２が配されている。そして、「ルート」４０２の下位の第２階層には複数のメタデータが配されている。具体的には、「ルート」４０２の下位の第２階層には、「音楽」４０４、「ビデオ」４０６、「フォト」４０８などが配されている。
【００７３】
そして、「音楽」４０４の下位の第３階層には、「全曲」４１０、「アルバム」４１２、「アーティスト」４１４、「プレイリスト」４１６が配されている。また、「全曲」４１０の下位には、「あかし」４１８、「トビウマライダー」４２０、「ワールドピリオド」４２２など、記憶部２２０が記憶する音楽のコンテンツデータに対応する全てのメタデータが配されている。
【００７４】
また、「アルバム」４１２の下位の第４階層には、「五次元」４２４、「エムカブ」４２６、「上空」４２８など、記憶部２２０が記憶する音楽のコンテンツデータが収録されているアルバムを示すメタデータが配されている。さらに、「五次元」４２４の下位の第５階層には、「ワールドピリオド」４４２、「過去」４４４、「クロスライン」４４６など、アルバム「五次元」に含まれるコンテンツデータに対応するメタデータが配されている。なお、下位にメタデータが配されているメタデータは、下位に配されているメタデータに対応するコンテンツデータに対応する。例えば、「五次元」４２４は、下位に「ワールドピリオド」４４２、「過去」４４４、「クロスライン」４４６が配されているため、コンテンツデータ「ワールドピリオド」、「過去」、「クロスライン」に対応する。
【００７５】
また、「アーティスト」４１４の下位の第４階層には、「ミスターズ」４３０、「ポルノトリップ」４３２、「ロデカメン」４３４など、記憶部２２０が記憶する音楽のコンテンツデータのアーティストを示すメタデータが配されている。さらに、「ミスターズ」４３０の下位には、「全アルバム」４４８、「五次元」４５０、「上空」４５２、「ハイハート」４５４など、アーティスト「ミスターズ」により作成されたアルバムを示すメタデータが配されている。さらに、「全アルバム」４４８の下位の第６階層には、「あかし」４６２、「過去」４６４、「クロスライン」４６６など、アーティスト「ミスターズ」により作成された全てのアルバムに含まれるコンテンツデータに対応するメタデータが配されている。
【００７６】
また、「プレイリスト」４１６の下位の第４階層には、「プレイリスト１」４３６、「プレイリスト２」４３８、「プレイリスト３」４４０が配されている。さらに、「プレイリスト１」４３６の下位には、「トビウマライダー」４５６、「クロスライン」４５８、「ワールドピリオド」４６０など、「プレイリスト１」に登録されたコンテンツデータに対応するメタデータが配されている。
【００７７】
「ビデオ」４０６の下位には、「音楽」４０４と同様にビデオのコンテンツデータのメタデータが該コンテンツデータの属性に従って階層的に配されている。また、「フォト」４０８の下位には、「音楽」４０４と同様に写真のコンテンツデータのメタデータが該コンテンツデータの属性に従って階層的に配されている。
【００７８】
ユーザは、上述した検索用データベースの階層構造を辿ることにより、所望のコンテンツデータを検索することができる。ユーザによる検索用データベースを用いたコンテンツデータの検索の具体例は、図９を参照して後述する。
【００７９】
なお、メタデータが配されているという表現は、該当するノードにメタデータが記載されていることを意味しても、該当するノードに図５に示したコンテンツファイルのコンテンツファイルＵＲＩが記載されていることを意味しても、該当するノードに図６に示したコンテンツ情報ファイルの所在を示すコンテンツ情報ファイルＵＲＩが記載されていることを意味してもよい。続いて、図８を参照してメタデータの具体例を説明する。
【００８０】
図８は、メタデータの具体例を示した説明図である。図８に示した例では、メタデータは、コンテンツデータの曲名と、コンテンツデータの収録されているアルバム名と、コンテンツデータのアーティスト名と、コンテンツデータに対する評価と、コンテンツデータが登録されているプレイリストと、を含む。
【００８１】
コンテンツデータに対する評価は、ユーザが後述する設定方法により設定することができる。ユーザは、気に入ったコンテンツデータの星の数を多くし、好みでないコンテンツデータの星の数を少なくしてもよい。また、プレイリストは、ユーザが作成したコンテンツデータの集合である。
【００８２】
図８においては、曲名が「ワールドピリオド」であるコンテンツデータが、アルバム「五次元」に収録され、アーティスト「ミスターズ」により作成され、「３つ星」の評価がされ、「プレイリスト１」および「プレイリスト３」に登録されている例を示している。
【００８３】
また、図８においては、曲名が「過去」であるコンテンツデータが、アルバム「五次元」に収録され、アーティスト「ミスターズ」により作成され、「４つ星」の評価がされ、「プレイリスト２」に登録されており、曲名が「クロスライン」であるコンテンツデータが、アルバム「五次元」に収録され、アーティスト「ミスターズ」により作成され、「２つ星」の評価がされ、「プレイリスト１」に登録されており、曲名が「トビウマライダー」であるコンテンツデータが、アルバム「エムカブ」に収録され、アーティスト「ポルノトリップ」により作成され、「５つ星」の評価がされ、「プレイリスト１」、「プレイリスト３」および「プレイリスト４」に登録されている例を示している。
【００８４】
上述したように、記憶部２２０は、コンテンツファイル、コンテンツ情報ファイル、および検索用データベースなどを記憶する。このような記憶部２２０は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ／ＲＷ、ＤＶＤ−Ｒ／ＲＷ／＋Ｒ／＋ＲＷ／ＲＡＭおよびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００８５】
図４を参照して携帯機器２０の構成の説明に戻ると、データ構造管理部２２２は、図７を用いて説明した検索用データベースの作成および修正を行なう。例えば、記憶部２２０に新たなコンテンツデータが記録されると、記録されたコンテンツデータの属性に基づき、検索用データベースにおける適切なノード位置に該コンテンツデータのメタデータを追加する。なお、検索用データベースの作成および修正は、ＰＣ３０などの外部装置が行なってもよい。
【００８６】
表示画面生成部２２４は、表示部２１に表示するための各種画面を生成し、設定画面生成部としての機能を有する。各種画面としては、例えば、コンテンツデータの再生画面、コンテンツデータの検索画面、コンテンツデータの評価設定画面、メニュー画面、プレイリスト登録画面、音量調整画面などがあげられる。表示画面生成部２２４が生成する検索画面、評価設定画面、再生画面などの詳細は、図９および図１０を参照して後述する。
【００８７】
操作部２３２は、図２を用いて説明した指示操作部２３、ホールド操作部２６および音量操作部２８などに対応し、ユーザが各種操作をすることができるユーザインターフェースとして機能する。各種操作としては、例えば、一のコンテンツデータの評価画面において、一のコンテンツデータの評価を表示されている選択項目のうちから選択するための選択操作や、一のコンテンツデータの評価画面から他のコンテンツデータの評価画面に切替えるための切替操作や、コンテンツデータの再生や曲送りを指示する再生操作などがあげられる。
【００８８】
選択操作検出部２３６は、操作部２３２に対して行なわれた選択操作を検出する。そして、選択操作検出部２３６は、操作部２３２に対して行なわれた選択操作を表示画面生成部２２４および設定部２４０に出力する。設定部２４０は、選択操作検出部２３６が検出した選択操作に基づいてコンテンツデータの評価を設定する付加情報設定部としての機能を有する。
【００８９】
切替操作検出部２４４は、操作部２３２に対して行なわれた切替操作を検出する。そして、切替操作検出部２４４は、操作部２３２に対して切替操作が行なわれた旨を表示切替部２４８に出力する。
【００９０】
表示切替部２４８は、切替操作検出部２４４により切替操作が検出されると、表示画面生成部２２４が生成する評価画面を、一のコンテンツデータの評価画面から他のコンテンツデータの評価画面に切替えさせる。すなわち、ユーザは、操作部２３２に対して切替操作を行なえば、表示部２１に表示される評価画面を、一のコンテンツデータの評価画面から他のコンテンツデータの評価画面に直接切替えさせることができる。以下、コンテンツデータの評価画面が切替えられる様子を、図９および図１０を参照して説明する。
【００９１】
図９は、検索画面が表示されてから再生画面が表示されるまでの流れを示した説明図である。図１０は、再生画面が表示されてからコンテンツデータの評価画面が表示され、該評価画面が切替られるまでの流れを示した説明図である。
【００９２】
表示画面生成部２２４は、図７を用いて説明した検索用データベースを用い、コンテンツデータの検索画面を生成する。具体的には、表示画面生成部２２４は、「音楽」、「ビデオ」、「フォト」および「各種設定」を選択項目として含む図９（ａ）に示したホームメニュー画面を生成している状態において、ユーザ操作により「音楽」が選択されると、図７に示した「音楽」４０４の下位に配されている「全曲」、「アルバム」、「アーティスト」、「プレイリスト」を選択項目として含む図９（ｂ）に示す検索画面を生成する。
【００９３】
また、表示画面生成部２２４は、図９（ｂ）に示す検索画面においてユーザ操作により「全曲」が選択されると、図７に示した「全曲」４１０の下位に配されている「あかし」、「トビウマライダー」、「ワールドピリオド」を選択項目として含む図９（ｃ）に示す検索画面を生成する。図９（ｃ）に示す検索画面において「あかし」がユーザにより選択されると、再生部２５０がコンテンツデータ「あかし」の再生を開始し、表示画面生成部２２４が図９（ｄ）に示すコンテンツデータの再生画面を生成する。なお、表示画面生成部２２４は、図９の各図において「あかし」や「トビウマライダー」などのテキスト情報の横に示した長方形領域に、該長方形領域に対応するコンテンツデータに関する画像情報を表示してもよい。
【００９４】
また、表示画面生成部２２４は、図９（ｂ）に示す検索画面においてユーザ操作により「アルバム」が選択されると、図７に示した「アルバム」４１２の下位に配されている「五次元」、「エムカブ」、「上空」を選択項目として含む図９（ｅ）に示す検索画面を生成する。さらに、表示画面生成部２２４は、図９（ｅ）に示す検索画面において「五次元」が選択されると、図７に示した「五次元」４２４の下位に配されている「ワールドピリオド」、「過去」、「クロスライン」を選択項目として含む図９（ｆ）に示す検索画面を生成する。
【００９５】
図９（ｆ）に示す検索画面において「過去」がユーザにより選択されると、再生部２５０がコンテンツデータ「過去」の再生を開始し、表示画面生成部２２４が図９（ｄ）に示すコンテンツデータの再生画面を生成する。
【００９６】
また、表示画面生成部２２４は、図９（ｂ）に示す検索画面においてユーザ操作により「アーティスト」が選択されると、図７に示した「アーティスト」４１４の下位に配されている「ミスターズ」、「ポルノトリップ」、「ロデカメン」を選択項目として含む図９（ｇ）に示す検索画面を生成する。さらに、表示画面生成部２２４は、図９（ｇ）に示す検索画面において「ミスターズ」が選択されると、図７に示した「ミスターズ」４３０の下位に配されている「全アルバム」、「五次元」、「上空」、「ハイハート」を選択項目として含む図９（ｈ）に示す検索画面を生成する。
【００９７】
さらに、表示画面生成部２２４は、図９（ｈ）に示す検索画面において「全アルバム」が選択されると、図７に示した「全アルバム」４４８の下位に配されている「あかし」、「過去」、「クロスライン」を選択項目として含む図９（ｉ）に示す検索画面を生成する。図９（ｉ）に示す検索画面において「クロスライン」がユーザにより選択されると、再生部２５０がコンテンツデータ「クロスライン」の再生を開始し、表示画面生成部２２４が図９（ｄ）に示すコンテンツデータの再生画面を生成する。
【００９８】
また、表示画面生成部２２４は、図９（ｂ）に示す検索画面においてユーザ操作により「プレイリスト」が選択されると、図７に示した「プレイリスト」４１６の下位に配されている「プレイリスト１」、「プレイリスト２」、「プレイリスト３」を選択項目として含む図９（ｊ）に示す検索画面を生成する。さらに、表示画面生成部２２４は、図９（ｊ）に示す検索画面において「プレイリスト１」が選択されると、図７に示した「プレイリスト１」４３６の下位に配されている「トビウマライダー」、「クロスライン」、「ワールドピリオド」を選択項目として含む図９（ｋ）に示す検索画面を生成する。
【００９９】
図９（ｋ）に示す検索画面において「トビウマライダー」がユーザにより選択されると、再生部２５０がコンテンツデータ「トビウマライダー」の再生を開始し、表示画面生成部２２４が図９（ｄ）に示すコンテンツデータの再生画面を生成する。
【０１００】
このように検索画面を経て表示画面生成部２２４により生成された再生画面の一例として、コンテンツデータ「ワールドピリオド」の再生画面を図１０（ａ）に示す。図１０（ａ）では、表示画面生成部２２４が、コンテンツデータのタイトル「ワールドピリオド」、アルバム名「五次元」、アーティスト名「ミスターズ」、ジャンル「Ｊ−ｐｏｐ」、ジャケット写真、および評価「三つ星」を含む再生画面を生成した例を示している。
【０１０１】
図１０（ａ）に示した再生画面において、ユーザによりメニューボタン２３Ｇが押され、下ボタン２３Ｂが２回押されると、表示画面生成部２２４は、図１０（ｂ）に示すメニュー画面を生成する。図１０（ｂ）に示すメニュー画面には、ホームメニューへ戻るための「ホームメニューへ」、プレイモードの設定画面に進むための「プレイモード」、コンテンツデータ「ワールドピリオド」の評価画面に進むための「評価」、コンテンツデータ「ワールドピリオド」の歌詞を表示するための「歌詞表示」など多様な選択項目が含まれる。
【０１０２】
また、図１０（ｂ）に示すメニュー画面ではカーソル４０が「評価」に合わせられているため、かかるメニュー画面においてユーザにより決定ボタン２３Ｅが押されると、表示画面生成部２２４は図１０（ｃ）に示すコンテンツデータ「ワールドピリオド」の評価画面を生成する。
【０１０３】
図１０（ｃ）に示すコンテンツデータ「ワールドピリオド」の評価画面には、コンテンツデータの評価のため一方向に配された「五つ星」、「四つ星」、「三ツ星」、「二つ星」、「一つ星」、「なし（自動）」の選択項目が含まれる。また、図１０（ｃ）ではカーソル４０が「なし（自動）」に合わせられているため、かかる評価画面においてユーザにより上ボタン２３Ａが五回押されると、表示画面生成部２２４は図１０（ｄ）に示す「五つ星」にカーソル４０が合わせられた評価画面を生成する。なお、図１０（ｂ）〜図１０（ｄ）に示した表示画面においてリターンボタン２３Ｆが押されると、図１０（ａ）に示した再生画面が表示される。
【０１０４】
図１０（ｄ）に示した「五つ星」にカーソル４０が合わせられた評価画面において、ユーザにより選択操作として決定ボタン２３Ｅが押されると、表示画面生成部２２４は図１０（ｅ）に示す「五つ星」にカーソル４０およびチェック４２が合わせられたコンテンツデータ「ワールドピリオド」の評価画面を生成する。
【０１０５】
また、チェック４２が「五つ星」に合わせられると、設定部２４０は、コンテンツデータ「ワールドピリオド」の評価を「五つ星」に設定する。すなわち、設定部２４０は、選択操作検出部２３６により検出されたユーザによる選択操作（図１０（ｄ）における決定ボタン２３Ｅの押圧）に基づいてコンテンツデータの評価を設定することができる。
【０１０６】
本実施形態にかかる携帯機器２０の表示画面生成部２２４は、図１０（ｅ）に示したコンテンツデータ「ワールドピリオド」の評価画面から、図１０（ｇ）に示すコンテンツデータ「過去」の評価画面に直接生成を切替えられることを特徴とする。
【０１０７】
具体的には、図１０（ｅ）に示したコンテンツデータ「ワールドピリオド」の評価画面においてユーザにより切替操作として右ボタン２３Ｄが押されると、切替操作検出部２４４が該切替操作を検出し、表示切替部２４８は表示画面生成部２２４に対して評価画面を次のコンテンツデータの評価画面に切替えるよう指示する切替指示を出力する。表示画面生成部２２４は、表示切替部２４８による切替指示を受けると、生成する評価画面を、図１０（ｅ）に示したコンテンツデータ「ワールドピリオド」の評価画面から、図１０（ｇ）に示すコンテンツデータ「過去」の評価画面に切替える。
【０１０８】
かかる構成によれば、ユーザは、一のコンテンツデータの評価画面が表示されているとき、表示される評価画面を単に切替操作を行なうのみで他のコンテンツデータの評価画面に切替えることができる。したがって、本実施形態にかかる携帯機器２０においては、ユーザが複数のコンテンツデータに対する評価の設定を簡易に行うことが可能である。
【０１０９】
また、表示画面生成部２２４は、コンテンツデータの評価のための「五つ星」、「四つ星」、「三ツ星」、「二つ星」、「一つ星」、「なし（自動）」などの選択項目を、一方向に配した評価画面を生成する。したがって、カーソル４０をいずれかの選択項目に合わせるために必要なキーやボタンなどの被操作構成を抑制することができる。
【０１１０】
なお、表示画面生成部２２４は、図１０（ｅ）に示した評価画面においてリターンボタン２３Ｆが押されると図１０（ｆ）に示す再生画面を生成し、図１０（ｇ）に示した評価画面においてリターンボタン２３Ｆが押されると図１０（ｈ）に示す再生画面を生成する。
【０１１１】
また、図１０（ｅ）に示したコンテンツデータ「ワールドピリオド」の評価画面においてユーザにより切替操作として左ボタン２３Ｃが押されると、切替操作検出部２４４が該切替操作を検出し、表示切替部２４８は表示画面生成部２２４に対して評価画面を前のコンテンツデータの評価画面に切替えるよう指示する切替指示を出力してもよい。
【０１１２】
また、図１０（ｃ）および図１０（ｄ）に示したコンテンツデータ「ワールドピリオド」の評価画面においても、ユーザにより切替操作が行なわれた場合、表示画面生成部２２４が生成する評価画面を切替えるようにすることも可能である。
【０１１３】
また、上ボタン２３Ａ、下ボタン２３Ｂ、左ボタン２３Ｃおよび右ボタン２３Ｄ、決定ボタン２３Ｅ、リターンボタン２３Ｆなどの各キーに対する機能の割り当ては、目的や用途に応じて自由に設定することが可能である。  
【０１１４】
また、図１０においては、評価画面において選択操作として決定ボタン２３Ｅが押されたことをトリガーに設定部２４０がコンテンツデータの評価を設定する場合を説明したが、ユーザは必ずしも選択操作として決定ボタン２３Ｅを押す必要はない。選択操作の変形例を図１１を参照して説明する。
【０１１５】
図１１は、表示画面生成部２２４が生成する表示画面を示した説明図である。図１１（ａ）に示したコンテンツデータ「ワールドピリオド」の再生画面において、ユーザによりメニューボタン２３Ｇが押され、下ボタン２３Ｂが２回押されると、表示画面生成部２２４は、図１１（ｂ）に示すメニュー画面を生成する。
【０１１６】
また、図１１（ｂ）に示すメニュー画面ではカーソル４０が「評価」に合わせられているため、かかるメニュー画面においてユーザにより決定ボタン２３Ｅが押されると、表示画面生成部２２４は図１１（ｃ）に示すコンテンツデータ「ワールドピリオド」の評価画面を生成する。
【０１１７】
図１１（ｃ）に示すコンテンツデータ「ワールドピリオド」の評価画面には、コンテンツデータの評価のため一方向に配された「五つ星」、「四つ星」、「三ツ星」、「二つ星」、「一つ星」、「なし（自動）」の選択項目が含まれる。また、図１０（ｃ）ではカーソル４０が「なし（自動）」に合わせられている。
【０１１８】
本変形例では、図１１（ｃ）に示した評価画面において、上ボタン２３Ａが五回押されると、表示画面生成部２２４は、カーソル４０およびチェック４２を同時に動かし、カーソル４０およびチェック４２が図１１（ｄ）に示す「五つ星」に合わせられた評価画面を生成する。
【０１１９】
また、本変形例にかかる設定部２４０は、選択項目にカーソル４０およびチェック４２が合わせられたまま所定時間が経過した場合に、コンテンツデータの評価を該選択項目に設定する。したがって、設定部２４０は、図１１（ｄ）に示したようにカーソル４０と併せてチェック４２が「五つ星」に合わせられたまま所定時間が経過すると、コンテンツデータ「ワールドピリオド」の評価を「五つ星」に設定する。すなわち、当該変形例においては、図１１（ｃ）に示した評価画面においてカーソル４０およびチェック４２を動かす操作が選択操作に該当する。
【０１２０】
かかる本変形例によれば、ユーザによるコンテンツデータの評価を設定するための操作を簡略化することができるため、携帯機器２０におけるユーザの利便性を向上することができる。
【０１２１】
なお、図１１（ｄ）に示すカーソル４０およびチェック４２が「五つ星」に合わせられた評価画面において、ユーザにより切替操作として右ボタン２３Ｄが押されると、切替操作検出部２４４が該切替操作を検出し、表示切替部２４８は表示画面生成部２２４に対して評価画面の切替指示を出力する。表示画面生成部２２４は、表示切替部２４８による切替指示を受けると、生成する評価画面を、図１１（ｄ）に示したコンテンツデータ「ワールドピリオド」の評価画面から、図１１（ｆ）に示すコンテンツデータ「過去」の評価画面に切替えることができる。
【０１２２】
図４を参照して本実施形態にかかる携帯機器２０の構成の説明に戻ると、再生部２５０はデコード部２５２と音声出力部２２を備え、再生制御部２６０の制御に基づいてコンテンツデータの音声を再生する。
【０１２３】
デコード部２５２は、通信部２１６または記憶部２２０から入力される音声データをデコードする。例えば、デコード部２５２は、ＭＰ３（ＭＰＥＧ１  Ｌａｙｅｒ−３）、ＡＡＣ（Ａｄｖａｎｃｅｄ  Ａｕｄｉｏ  Ｃｏｄｅｃ）、ＬＰＣＭ（Ｌｉｎｅａｒ  ＰＣＭ）、ＷＭＡ９（Ｗｉｎｄｏｗｓ  Ｍｅｄｉａ  Ａｕｄｉｏ９）、ＡＴＲＡＣ（Ａｄａｐｔｉｖｅ  ＴＲａｎｓｆｏｒｍ  Ａｃｏｕｓｔｉｃ  Ｃｏｄｉｎｇ）またはＡＴＲＡＣ３などのデータ形式の音声データをデコードすることができる。また、音声出力部２２は、デコード部２５２がデコードした音声データを出力する。このようにデコード部２５２が音声データをデコードし音声出力部２２が音声を出力する動作を、コンテンツデータの再生と称する。
【０１２４】
再生制御部２６０は、再生部２５０によるコンテンツデータの再生を制御する。例えば、再生制御部２６０は、操作部２３２に対して入力されたコンテンツデータの再生指示に基づいて再生部２５０にコンテンツデータを再生させたり、操作部２３２に対して入力された再生中のコンテンツデータの曲送り指示に基づいて再生部２５０に次のコンテンツデータを再生させたりする。
【０１２５】
また、本実施形態にかかる再生制御部２６０は、再生部２５０に、表示画面生成部２２４が生成する評価画面による評価対象となっているコンテンツデータと同一のコンテンツデータを再生させることができる。例えば、表示画面生成部２２４が表示切替指示に応じて生成するコンテンツデータの評価画面を一のコンテンツデータの評価画面から他のコンテンツデータの評価画面に切替える場合、再生制御部２６０は、再生部２５０が再生するコンテンツデータを、一のコンテンツデータから他のコンテンツデータに切替させる。
【０１２６】
または、再生部２５０が一のコンテンツデータの再生を終了し他のコンテンツデータの再生を行なう場合、再生制御部２６０は、表示画面生成部２２４が生成するコンテンツデータの評価画面を一のコンテンツデータの評価画面から他のコンテンツデータの評価画面に切替えさせる。すなわち、再生制御部２６０は、再生部２５０が再生するコンテンツデータの切替と、表示画面生成部２２４が生成するコンテンツデータの評価画面の切替と、を連動させることができる。
【０１２７】
かかる構成によれば、再生部２５０により再生されるコンテンツデータと、表示画面生成部２２４が生成する評価画面による評価対象となっているコンテンツデータとが同一であるため、ユーザは、再生されるコンテンツデータを視聴して該コンテンツデータの内容を確認しながら、効率的に該コンテンツデータの評価作業を行なうことができる。
【０１２８】
以上、本実施形態にかかる携帯機器２０の構成、機能について説明した。続いて、図１２を参照して本実施形態にかかる携帯機器２０による表示方法を説明する。
【０１２９】
図１２は、本実施形態にかかる携帯機器２０による表示方法の流れを示したフローチャートである。まず、携帯機器２０の再生部２５０は、ユーザによるコンテンツデータの再生指示に応じてコンテンツデータの再生を開始する（Ｓ５０４）。続いて、携帯機器２０の表示画面生成部２２４は、ユーザによる評価画面の生成指示に応じて再生中のコンテンツデータの評価画面を生成する（Ｓ５０８）。
【０１３０】
続いて、携帯機器２０の設定部２４０は、選択操作検出部２３６によりコンテンツデータの評価設定を指示する選択操作が検出されたか否かを判断する（Ｓ５１２）。設定部２４０は、選択操作検出部２３６により選択操作が検出されたと判断した場合、該選択操作に基づいてコンテンツデータの評価を設定する（Ｓ５１６）。一方、選択操作検出部２３６により選択操作が検出されなかったと判断された場合、表示画面生成部２２４は再生部２５０により再生されるコンテンツデータが変更されると、再生の変更後のコンテンツデータの評価画面を生成し、Ｓ５１２の処理に戻る（Ｓ５２０、Ｓ５２４）。
【０１３１】
再生部２５０により再生されるコンテンツデータが変更されていない場合、表示切替部２４８は、切替操作検出部２４４が評価画面の切替を指示する切替操作を検出したか否かを判断する（Ｓ５２８）。評価画面の切替を指示する切替操作が検出されていないと判断されると、Ｓ５１２の処理に戻る。
【０１３２】
一方、評価画面の切替を指示する切替操作が検出されたと判断された場合、表示画面生成部２２４は、表示対象範囲のコンテンツデータを検索する（Ｓ５３２）。ここで、表示対象範囲は、図７に示したデータ構造において、現在表示されている評価画面に対応するメタデータと上位ノードが同一であるメタデータに対応するコンテンツデータ群であってもよい。例えば、現在表示されている評価画面が「ワールドピリオド」４４２に対応する場合、表示対象範囲には、「ワールドピリオド」４４２の上位ノード「五次元」４２４を上位ノードとする「過去」４４４、「クロスライン」４４６が含まれる。
【０１３３】
すなわち、表示対象範囲は、評価画面に対応するコンテンツデータがどのように選択されたかによって決定される。例えば、同一コンテンツデータ「トビウマライダー」であっても、「全曲」４１０を経て選択された場合には「全曲」４１０を上位ノードとする「あかし」４１８が表示対象範囲に含まれるが、「プレイリスト」４１６および「プレイリスト１」を経て選択された場合には「プレイリスト１」４３６を上位ノードとする「クロスライン」４５８が表示対象範囲に含まれる。かかる構成によれば、ユーザによるコンテンツデータの評価作業の一層の効率化を図ることができる。
【０１３４】
なお、上位ノードは、現在表示されている評価画面に対応するメタデータの１階層上位のノードに限られず、表示されているコンテンツデータのメタデータの２階層以上上位のノードであってもよい。例えば、現在表示されている評価画面が「過去」４６４に対応する場合、表示対象範囲には、「過去」４６４の２階層上位である「ミスターズ」４３０を上位ノードとする「あかし」４６２や、五次元「４５０」、「上空」４５２などの下位に配されているメタデータに対応するコンテンツデータが含まれてもよい。
【０１３５】
すなわち、同一ノードを上位階層に有するメタデータ群は同一区分として記憶部２２０に記憶されており、表示対象範囲は、現在表示されている評価画面に対応するメタデータが属する区分に含まれるメタデータ群に該当する。
【０１３６】
Ｓ５３２の処理に続いて、表示画面生成部２２４は、検索した表示対象範囲内のコンテンツデータの評価画面を生成する（Ｓ５３６）。そして、再生制御部２６０は、再生部２５０に新たに生成された評価画面に対応するコンテンツデータを再生させ、Ｓ５１２の処理に戻る（Ｓ５４０）。
【０１３７】
以上説明したように、本実施形態にかかる携帯機器２０は、一のコンテンツデータの評価画面が表示されているとき、表示される評価画面を単に切替操作を行なうのみで他のコンテンツデータの評価画面に切替えることができる。したがって、本実施形態にかかる携帯機器２０においては、ユーザが複数のコンテンツデータの評価の設定作業を簡易に行うことが可能である。
【０１３８】
また、本実施形態にかかる携帯機器２０においては、再生部２５０により再生されるコンテンツデータと、表示画面生成部２２４が生成する評価画面による評価対象となっているコンテンツデータとが同一であるため、ユーザは、再生されるコンテンツデータを視聴して該コンテンツデータの内容を確認しながら、効率的に該コンテンツデータの評価の設定作業を行なうことができる。
【０１３９】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１４０】
例えば、上記実施形態では、コンテンツデータの付加情報の設定画面の一例としてコンテンツデータの評価画面をあげて説明したが、本発明はかかる例に限定されない。例えば、コンテンツデータの付加情報の設定画面は、コンテンツデータのプレイリストに関する設定が可能なプレイリスト編集画面であってもよい。以下、本実施形態にかかる携帯機器２０においてプレイリスト編集画面が切替操作に基づいて切替えられる様子を図１３を参照して説明する。
【０１４１】
図１３は、本実施形態にかかる携帯機器２０が生成するプレイリスト編集画面の流れを示した説明図である。図１３（ａ）では、表示画面生成部２２４が、コンテンツデータのタイトル「ワールドピリオド」、アルバム名「五次元」、アーティスト名「ミスターズ」、ジャンル「Ｊ−ｐｏｐ」、ジャケット写真、評価「三つ星」および該コンテンツデータが属するプレイリスト「１、３」を含む再生画面を生成した例を示している。
【０１４２】
図１３（ａ）に示した再生画面において、ユーザによりメニューボタン２３Ｇが押され、下ボタン２３Ｂが８回押されると、表示画面生成部２２４は、図１３（ｂ）に示すメニュー画面を生成する。図１３（ｂ）に示すメニュー画面には、ホームメニューへ戻るための「ホームメニューへ」、プレイモードの設定画面に進むための「プレイモード」、コンテンツデータ「ワールドピリオド」の評価画面に進むための「評価」、コンテンツデータ「ワールドピリオド」の歌詞を表示するための「歌詞表示」、コンテンツデータ「ワールドピリオド」のプレイリスト編集画面に進むための「プレイリストの登録」など多様な選択項目が含まれる。
【０１４３】
また、図１３（ｂ）に示すメニュー画面ではカーソル４０が「プレイリストの登録」に合わせられているため、かかるメニュー画面においてユーザにより決定ボタン２３Ｅが押されると、表示画面生成部２２４は図１３（ｃ）に示すコンテンツデータ「ワールドピリオド」のプレイリスト編集画面を生成する。
【０１４４】
図１３（ｃ）に示すコンテンツデータ「ワールドピリオド」のプレイリスト編集画面には、コンテンツデータのプレイリストへの登録のため一方向に配された「プレイリスト１」、「プレイリスト２」、「プレイリスト３」、「プレイリスト４」、「プレイリスト５」の選択項目が含まれる。また、図１３（ｃ）においては、「プレイリスト１」および「プレイリスト３」には登録済みマーク４４が付されており、コンテンツデータ「ワールドピリオド」が「プレイリスト１」および「プレイリスト３」に登録されていることを示している。
【０１４５】
また、図１３（ｃ）ではカーソル４０が「プレイリスト３」に合わせられているため、かかるプレイリスト編集画面においてユーザにより上ボタン２３Ａが一回押されると、表示画面生成部２２４は図１３（ｄ）に示す「プレイリスト２」にカーソル４０が合わせられたプレイリスト編集画面を生成する。
【０１４６】
なお、図１３（ｂ）〜図１３（ｄ）に示した表示画面においてリターンボタン２３Ｆが押されると、図１３（ａ）に示した再生画面が表示される。また、プレイリスト編集画面が表示された段階でいずれの選択項目にカーソル４０が合わせられているようにするかは適宜設計可能であり、例えば、直近に表示されたプレイリスト編集画面においてカーソル４０が合わせられていた選択項目であっても、事前に設定された選択項目であっても、一番上に配されている選択項目であってもよい。
【０１４７】
図１３（ｄ）に示した「プレイリスト２」にカーソル４０が合わせられたプレイリスト編集画面において、ユーザにより選択操作として決定ボタン２３Ｅが押されると、表示画面生成部２２４は図１３（ｅ）に示す「プレイリスト２」に登録済みマーク４４が付されたコンテンツデータ「ワールドピリオド」のプレイリスト編集画面を生成する。
【０１４８】
また、図１３（ｄ）に示した「プレイリスト２」にカーソル４０が合わせられたプレイリスト編集画面において、ユーザにより選択操作として決定ボタン２３Ｅが押されると、設定部２４０は、コンテンツデータ「ワールドピリオド」を「プレイリスト２」へ新たに登録する。すなわち、設定部２４０は、選択操作検出部２３６により検出されたユーザによる選択操作（図１３（ｄ）における決定ボタン２３Ｅの押圧）に基づいてコンテンツデータをプレイリストに登録することができる。
【０１４９】
本実施形態にかかる携帯機器２０の表示画面生成部２２４は、図１３（ｅ）に示したコンテンツデータ「ワールドピリオド」のプレイリスト編集画面から、図１３（ｇ）に示すコンテンツデータ「過去」のプレイリスト編集画面に直接生成を切替えられることを特徴とする。
【０１５０】
具体的には、図１３（ｅ）に示したコンテンツデータ「ワールドピリオド」のプレイリスト編集画面においてユーザにより切替操作として右ボタン２３Ｄが押されると、切替操作検出部２４４が該切替操作を検出し、表示切替部２４８は表示画面生成部２２４に対してプレイリスト編集画面を次のコンテンツデータのプレイリスト編集画面に切替えるよう指示する切替指示を出力する。表示画面生成部２２４は、表示切替部２４８による切替指示を受けると、生成するプレイリスト編集画面を、図１３（ｅ）に示したコンテンツデータ「ワールドピリオド」のプレイリスト編集画面から、図１３（ｇ）に示すコンテンツデータ「過去」のプレイリスト編集画面に切替える。
【０１５１】
かかる構成によれば、ユーザは、一のコンテンツデータのプレイリスト編集画面が表示されているとき、表示されるプレイリスト編集画面を単に切替操作を行なうのみで他のコンテンツデータのプレイリスト編集画面に切替えることができる。したがって、本実施形態にかかる携帯機器２０においては、ユーザが複数のコンテンツデータのプレイリストへの登録を簡易に行うことが可能である。
【０１５２】
なお、表示画面生成部２２４は、図１３（ｅ）に示したプレイリスト編集画面においてリターンボタン２３Ｆが押されると図１３（ｆ）に示す再生画面を生成し、図１３（ｇ）に示したプレイリスト編集画面においてリターンボタン２３Ｆが押されると図１３（ｈ）に示す再生画面を生成することができる。
【０１５３】
このように、コンテンツデータの付加情報の設定画面は、コンテンツデータの評価画面であっても、コンテンツデータのプレイリスト編集画面であってもよい。さらに、コンテンツデータの付加情報の設定画面は、コンテンツデータごとの再生音量（音量の大小）を調整するための音量設定画面であっても、コンテンツデータごとの再生音質（リバーブ、低音ブースト、高音ブーストなど）を調整するための音質設定画面であっても、コンテンツデータごとのテンポを調整するためのテンポ設定画面であってもよい。
【０１５４】
また、上記実施形態では、携帯機器２０の指示操作部２３が十字キーを含む場合を説明したが、本発明はかかる例に限定されない。例えば、指示操作部２３を円筒部材で構成し、ユーザが該円筒部材を回動させて携帯機器２０に所定の処理の実行を指示できるようにしてもよい。
【０１５５】
また、本明細書の携帯機器２０の処理における各ステップは、必ずしもフローチャートとして記載された順序に沿って時系列に処理する必要はなく、並列的あるいは個別に実行される処理（例えば、並列処理あるいはオブジェクトによる処理）も含むとしてもよい。
【０１５６】
また、携帯機器２０に内蔵されるＣＰＵ２０１、ＲＯＭ２０２およびＲＡＭ２０３などのハードウェアを、上述した携帯機器２０の各構成と同等の機能を発揮させるためのコンピュータプログラムも作成可能である。また、該コンピュータプログラムを記憶した記憶媒体も提供される。
【図面の簡単な説明】
【０１５７】
【図１】本発明の一実施形態にかかるコンテンツ通信システムの構成を示した説明図である。
【図２】同実施形態にかかる携帯機器の外観構成例を示した説明図である。
【図３】同実施形態にかかる携帯機器のハードウェア構成を示した説明図である。
【図４】同実施形態にかかる携帯機器の構成を示した機能ブロック図である。
【図５】記憶部が記憶するコンテンツファイルの一例を示した説明図である。
【図６】記憶部が記憶するコンテンツ情報ファイルの一例を示した説明図である。
【図７】記憶部が記憶するコンテンツデータの検索用データベースの一例を示した説明図である。
【図８】メタデータの具体例を示した説明図である。
【図９】検索画面が表示されてから再生画面が表示されるまでの流れを示した説明図である。
【図１０】再生画面が表示されてからコンテンツデータの評価画面が表示され、該評価画面が切替られるまでの流れを示した説明図である。
【図１１】表示画面生成部が生成する表示画面の一例を示した説明図である。
【図１２】同実施形態にかかる携帯機器による表示方法の流れを示したフローチャートである。
【図１３】表示画面生成部が生成する表示画面の一例を示した説明図である。
【図１４】従来の設定画面の表示方法の流れを示した説明図である。
【符号の説明】
【０１５８】
１０        コンテンツ配信サーバ
２０        携帯機器
２３        指示操作部
３０        ＰＣ
２２０      記憶部
２２４      表示画面生成部
２３６      選択操作検出部
２４０      設定部
２４４      切替操作検出部
２４８      表示切替部
２５０      再生部
２６０      再生制御部
【図１】
2008199364.tif 000003
【図２】
2008199364.tif 000004
【図３】
2008199364.tif 000005
【図４】
2008199364.tif 000006
【図５】
2008199364.tif 000007
【図６】
2008199364.tif 000008
【図７】
2008199364.tif 000009
【図８】
2008199364.tif 000010
【図９】
2008199364.tif 000011
【図１０】
2008199364.tif 000012
【図１１】
2008199364.tif 000013
【図１２】
2008199364.tif 000014
【図１３】
2008199364.tif 000015
【図１４】
2008199364.tif 000016